(57)【要約】【課題】第１デバイスと第２デバイスを通信可能に接続する第３デバイスのデータ処理部におけるデータ処理を簡素化できる第３デバイスの制御回路を提供すること。【解決手段】ＰＯＳシステム１では、ＰＯＳ端末装置２、表示装置４（第３デバイス）およびプリンター６がこの順番で直列に接続されている。表示装置４の制御回路８は、ＰＯＳ端末装置２からの会計データが入力されるデータ制御部３０と、ＰＯＳ端末装置２からの会計データを、データ制御部３０を介さずにプリンター６に供給する第１回路４１を有する。表示装置４のデータ制御部３０でＰＯＳ端末装置２からの会計データを解析してプリンター６に供給するデータ処理動作を行う必要がないので、表示装置４におけるデータ制御部３０のデータ処理を簡素化できる。【選択図】図３
2016130937.tif 000002
【特許請求の範囲】
【請求項１】
ホスト側のデバイスである第１デバイスおよびクライアント側のデバイスである第２デバイスが通信可能に接続される第３デバイスの制御回路であって、
前記第１デバイスからのデータが入力されるデータ処理部と、
前記第１デバイスからの前記データを、前記データ処理部を介さずに、前記第２デバイスに供給する第１回路と、
を有することを特徴とする制御回路。
【請求項２】
請求項１において、
前記第１デバイスからの前記データを、前記データ処理部を介して、前記第２デバイスに供給する第２回路と、
前記第１回路と前記第２回路とを切り換える切り替え回路と、
を有することを特徴とする制御回路。
【請求項３】
請求項２において、
前記第１デバイスからの前記データには、前記第２デバイスのみを動作させる第１コマンド、前記第３デバイスのみを動作させる第２コマンド、または、前記第２デバイスおよび前記第３デバイスを動作させる第３コマンドが含まれることを特徴とする制御回路。
【請求項４】
請求項１ないし３のうちのいずれかの項に記載の制御回路を備える第３デバイスと、
前記第３デバイスに接続された前記第１デバイスと、
前記第３デバイスに接続された前記第２デバイスと、を有し、
前記第１デバイスは、ＰＯＳ端末装置であることを特徴とする印刷システム。
【請求項５】
請求項４において、
前記第２デバイスは、プリンターであることを特徴とする印刷システム。
【請求項６】
請求項４または５において、
前記第３デバイスは、表示装置であることを特徴とする印刷システム。
【発明の詳細な説明】
【技術分野】
【０００１】
本発明は、２つのデバイスを通信可能に接続するデバイスの制御回路に関する。また、コンピューターとプリンターを表示装置などのデバイスを介して通信可能に接続した印刷システムに関する。
【背景技術】
【０００２】
店舗に設置されているＰＯＳシステムとしては、会計処理を行うＰＯＳ端末装置と、商品名や金額を表示する表示装置と、レシートを発行するプリンターを備えるものが知られている。特許文献１に記載のＰＯＳシステムでは、プリンターは表示装置を介してＰＯＳ端末装置に接続されている。ＰＯＳ端末装置からは、プリンターのみを動作させる第１コマンドが含まれる第１会計データ、表示装置のみを動作させる第２コマンドが含まれる第２会計データ、または、プリンターおよび表示装置を動作させる第３コマンドが含まれる第３会計データが表示装置の側に供給される。これらの会計データは表示装置のデータ制御部で解析される。そして、会計データに第１コマンドまたは第３コマンドが含まれている場合には、表示装置からプリンターに転送され、プリンターにおいて当該会計データを印刷する印刷処理動作を行う。一方、会計データに第２コマンドまたは第３コマンドが含まれている場合には表示装置において当該会計データを表示する表示処理動作を行う。同文献の印刷システムでは、表示装置の電源がオフとされているときにホスト装置から表示装置の側にデータが供給されると、そのデータは表示装置のデータ制御部を介することなく、プリンターに供給される。
【先行技術文献】
【特許文献】
【０００３】
【特許文献１】特開２００５−２１０４２９号公報
【発明の概要】
【発明が解決しようとする課題】
【０００４】
ここで、ＰＯＳ端末装置から供給される会計データを表示装置のデータ処理部で解釈した後にプリンターに供給する構成では、表示装置のデータ処理部におけるデータ処理が煩雑になるという問題がある。
【０００５】
本発明の課題は、かかる点に鑑みて、第１デバイスと第２デバイスを通信可能に接続する第３デバイスにおけるデータ処理部のデータ処理を簡素化できる第３デバイスの制御回路を提供することにある。また、第２デバイスまたは第３デバイスとしてプリンターを備える印刷システムを提供することにある。
【課題を解決するための手段】
【０００６】
上記の課題を解決するために、本発明は、ホスト側のデバイスである第１デバイスおよびクライアント側のデバイスである第２デバイスが通信可能に接続される第３デバイスの制御回路であって、前記第１デバイスからのデータが入力されるデータ処理部と、前記第１デバイスからの前記データを、前記データ処理部を介さずに、前記第２デバイスに供給する第１回路と、を有することを特徴とする。
【０００７】
本発明によれば、第１デバイスからのデータは、データ処理部への電力の供給状態に拘わらず、第１回路を介して第２デバイスに供給される。従って、第３デバイスのデータ処理部で第１デバイスからのデータを解析して第２デバイスに転送するデータ処理動作を行う必要がない。よって、第３デバイスのデータ処理部におけるデータ処理を簡素化できる。
【０００８】
本発明において、前記第１デバイスからの前記データを、前記データ処理部を介して、前記第２デバイスに供給する第２回路と、前記第１回路と前記第２回路とを切り換える切り替え回路と、を有するものとすることができる。このようにすれば、第１デバイスからのデータを第１回路を介して第２デバイスに供給するか、或いは、従来のとおりにデータ処理部で第１デバイスからのデータを解析して第２デバイスに転送するかを選択できる。
【０００９】
本発明において、前記第１デバイスからの前記データには、前記第２デバイスのみを動作させる第１コマンド、前記第３デバイスのみを動作させる第２コマンド、または、前記第２デバイスおよび前記第３デバイスを動作させる第３コマンドが含まれることが望ましい。このようにすれば、第３デバイスの第１回路を介して第１デバイスからのデータを受け取った第２デバイスは、データに第１コマンドまたは第３コマンドが含まれている場合に動作する。一方、第１デバイスからのデータに第１コマンドおよび第３コマンドが含まれていない場合には、動作しない。従って、第１デバイスからのデータの全てが第１回路を介して第２デバイスに供給される場合でも、第１デバイスからのデータによって第３デバイスおよび第２デバイスを個別に駆動制御できる。
【００１０】
次に、本発明の印刷システムは、上記の制御回路を備える第３デバイスと、前記第３デバイスに接続された前記第１デバイスと、前記第３デバイスに接続された前記第２デバイスと、を有し、前記第１デバイスは、ＰＯＳ端末装置であることを特徴とする。
【００１１】
本発明によれば、第３デバイスにおけるデータ処理部のデータ処理を簡素化できる。従って、印刷システムの構築が容易となる。また、本発明によれば、印刷システムをＰＯＳシステムとすることができる。
【００１２】
本発明において、ＰＯＳシステムからレシートなどを発行するためには、前記第２デバイスは、プリンターとすることができる。
【００１３】
また、印刷システムをＰＯＳシステムとする場合には、前記第３デバイスを表示装置とすることができる。
【図面の簡単な説明】
【００１４】
【図１】ＰＯＳシステムの概略システム構成図である。
【図２】表示装置に他のデバイスを接続する際の接続形態の説明図である。
【図３】パススルー接続で用いる場合の表示装置の制御回路の回路図である。
【図４】表示装置における初期設定動作のフローチャートである。
【発明を実施するための形態】
【００１５】
以下に、図面を参照して、本願発明を適用した印刷システムの実施の形態を説明する。
【００１６】
（ＰＯＳシステム）
図１は本発明を適用したプリンターを備えるＰＯＳシステムの概略システム構成図である。図２は表示装置に他のデバイスを接続する際の接続形態の説明図である。ＰＯＳシステム（印刷システム）１は店舗のレジカウンターに設置されて使用される。図１に示すように、ＰＯＳシステム１は、会計処理を行うＰＯＳ端末装置（第１デバイス）２と、ＰＯＳ端末装置２に第１ケーブル３を介して通信可能に接続された表示装置（第３デバイス）４と、表示装置４に第２ケーブル５を介して通信可能に接続されたプリンター（第２デバイス）６を有する。ＰＯＳ端末装置２と表示装置４の間および表示装置４とプリンター６の間は、それぞれシリアル通信インターフェースにより接続されている。本例では、シリアル通信インターフェースは、ＲＳ−２３２Ｃ規格のものである。
【００１７】
ＰＯＳ端末装置２は、コンピューター１０、コンピューター１０に接続されたキーボード１１、バーコードスキャナー１２、ディスプレイ１３およびキャッシュドロワー１４を備える。ディスプレイ１３にはオペレーター用の入力画面などが表示される。コンピューター１０にはバーコードスキャナー１２を介して商品コードが入力される。また、コンピューター１０にはキーボード１１を介して購買個数などの購買情報が入力される。
【００１８】
コンピューター１０は入力された商品コードに基づいて商品情報データベースを参照して商品価格などの商品情報を取得する。商品情報データベースは、例えば、ネットワークを介してＰＯＳ端末装置２に接続された不図示のサーバー上にある。また、コンピューター１０は入力された購買情報および商品情報に基づいて会計処理を行い、会計データを生成する。さらに、コンピューター１０は、生成した会計データを表示装置４の側に送信する。また、コンピューター１０はキャッシュドロワー１４を開閉して顧客との間で授受した金銭を管理する。
【００１９】
ＰＯＳ端末装置２から表示装置４の側に送信される会計データは、プリンター６のみを動作させる第１機種選択コマンド（ＥＳＣ＝１）を先頭に含む第１会計データ（第１データ）、表示装置４のみを動作させる第２機種選択コマンド（ＥＳＣ＝２）を先頭に含む第２会計データ、または、プリンター６および表示装置４の双方を動作させる第３機種選択コマンド（ＥＳＣ＝３）を先頭に含む第３会計データである。第１会計データはレシートやクーポンを発行するためのデータである。第２会計データは顧客に会計情報を表示するためのデータである。第３会計データは、顧客に会計情報を表示しながらレシートを発行するためのデータである。
【００２０】
表示装置４はインターフェース部１６および表示部１７を備える。インターフェース部１６と表示部１７はそれぞれ独立した装置であり、表示部１７はインターフェース部１６に対して着脱可能に装着されている。インターフェース部１６は、第１ケーブル３を介してＰＯＳ端末装置２が接続されるホスト側コネクター１８と、第２ケーブル５を介してプリンター６が接続されるクライアント側コネクター１９と、表示部１７が電気的に接続される表示部接続コネクター２０を備える。表示部１７はインターフェース部１６に接続される表示部コネクター２１を備える。表示装置４は、第２機種選択コマンド（ＥＳＣ＝２）および第３機種選択コマンド（ＥＳＣ＝３）を含む会計データ（第２会計データおよび第３会計データ）を受信すると、これらの会計データを表示する。
【００２１】
プリンター６は、ロール紙から繰り出される記録紙９に印刷を行うロール紙プリンターである。プリンター６は、第１機種選択コマンド（ＥＳＣ＝１）および第３機種選択コマンド（ＥＳＣ＝３）を含む会計データ（第１会計データおよび第３会計データ）を受信すると、これらの会計データを印刷する。
【００２２】
ここで、表示装置４はパススルー接続またはスタンドアローン接続により他のデバイスと接続される。パススルー接続は、図２（ａ）に示すように、ホスト側コネクター１８とクライアント側コネクター１９にそれぞれデバイスを接続するものである。本例のＰＯＳシステム１における表示装置４の接続形態はパススルー接続である。スタンドアローン接続は、図２（ｂ）に示すように、ホスト側コネクター１８にのみデバイスを接続するものであり、例えば、ＰＯＳ端末装置２と表示装置４からなる接続形態である。
【００２３】
（表示装置の制御回路）
図３はパススルー接続で用いる場合の表示装置４の制御回路の回路図である。図３に示すように、表示装置４の制御回路８は、インターフェース部１６に第１ケーブル３を介してＰＯＳ端末装置２が接続されるホスト側コネクター１８と、第２ケーブル５を介してプリンター６が接続されるクライアント側コネクター１９と、表示部１７が接続される表示部接続コネクター２０を備える。また、制御回路８は、インターフェース部１６に第１ジャンパースイッチ２５および第２ジャンパースイッチ２６を備える。さらに、制御回路８は、表示部１７にインターフェース部１６に接続される表示部コネクター２１、レベルコンバーター２９、データ制御部（データ処理部）３０を備える。また、制御回路８は、表示部１７に表示器３１、メモリー３２、ディップスイッチ３４および切替えスイッチ（切替回路）３５を備える。表示器３１およびメモリー３２はデータ制御部３０に接続されている。メモリー３２は表示装置４の設定情報を記憶保持する。切替えスイッチ３５はアナログスイッチである。
【００２４】
表示装置４をパススルー接続で用いる場合には、図３に示すように、第１ジャンパースイッチ２５の第１ジャンパーピンＰ１と第２ジャンパーピンＰ２を短絡させる。また、第２ジャンパースイッチ２６の第１ジャンパーピンＰ１と第２ジャンパーピンＰ２を短絡させる。さらに、ディップスイッチ３４を操作して、データ制御部３０への設定信号入力線ＳＬを接地する。
【００２５】
ＰＯＳ端末装置２からデータの供給を受けるホスト側コネクター１８のＨ＿ＲＸＤは、表示部接続コネクター２０、表示部コネクター２１、レベルコンバーター２９、ＭＰＵ＿ＲＸＤを介してデータ制御部３０に接続されている。ＭＰＵ＿ＲＸＤはレベルコンバーター２９とデータ制御部３０を接続する信号線である。ＭＰＵ＿ＲＸＤは途中で分岐した分岐信号線Ｓ＿ＲＸＤを備える。分岐信号線Ｓ＿ＲＸＤは切替えスイッチ３５の第１入力部３５ａに接続されている。
【００２６】
データ制御部３０の出力側にはＭＰＵ＿ＴＸＤおよびＲＥＰＬＹを介して切替えスイッチ３５が接続されている。ＭＰＵ＿ＴＸＤはデータ制御部３０と切替えスイッチ３５の第２入力部３５ｂを接続する信号線であり、ＲＥＰＬＹはデータ制御部３０と切替えスイッチ３５の切替信号入力部３５ｃを接続する信号線である。切替えスイッチ３５の出力部３５ｄは、レベルコンバーター２９、表示部コネクター２１および表示部接続コネクター２０を介してクライアント側接続コネクターのＰ＿ＴＸＤに接続されている。Ｐ＿ＴＸＤはプリンター６にデータを送信するための信号線である。
【００２７】
ここで、データ制御部３０から切替信号入力部３５ｃにＬｏｗレベルの信号が入力されると切替えスイッチ３５は第１入力部３５ａと出力部３５ｄを接続する。また、データ制御部３０に電力が供給されていない場合に切替えスイッチ３５は第１入力部３５ａと出力部３５ｄを接続する。第１入力部３５ａと出力部３５ｄが接続されている状態を切替えスイッチ３５の通常モードという。切替えスイッチ３５を通常モードとすると、表示装置４の制御回路８には、ホスト側コネクター１８のＨ＿ＲＸＤから、表示部接続コネクター２０、表示部コネクター２１、レベルコンバーター２９、切替えスイッチ３５、レベルコンバーター２９、表示部コネクター２１、および、表示部接続コネクター２０を介してクライアント側接続コネクターのＰ＿ＴＸＤに至る第１回路４１が形成される。第１回路４１は、データ制御部３０を介さずに、ホスト側コネクター１８のＨ＿ＲＸＤとクライアント側接続コネクターのＰ＿ＴＸＤを接続する回路である。
【００２８】
一方、データ制御部３０から切替信号入力部３５ｃにＨｉｇｈレベルの信号が入力されている場合に切替えスイッチ３５は第２入力部３５ｂと出力部３５ｄを接続する。第２入力部３５ｂと出力部３５ｄが接続されている状態を切替えスイッチ３５の応答モードという。切替えスイッチ３５を応答モードにすると第１回路４１は切断され、表示装置４の制御回路８には、ホスト側コネクター１８のＨ＿ＲＸＤから、表示部接続コネクター２０、表示部コネクター２１、レベルコンバーター２９、データ制御部３０、切替えスイッチ３５、レベルコンバーター２９、表示部コネクター２１、および、表示部接続コネクター２０を介してクライアント側接続コネクターのＰ＿ＴＸＤに至る第２回路４２が形成される。第２回路４２は、データ制御部３０を介して、ホスト側コネクター１８のＨ＿ＲＸＤとクライアント側接続コネクターのＰ＿ＴＸＤを接続する回路である。
【００２９】
ＰＯＳ端末装置２から制御信号の供給を受けるホスト側コネクター１８のＨ＿ＤＳＲは、プリンター６に制御信号を送信するためのクライアント側クネクターのＰ＿ＤＴＲに接続されている。また、ＰＯＳ端末装置２からリセット信号の供給を受けるホスト側コネクター１８のＲＥＳＥＴは、プリンター６にリセット信号を送信するためのクライアント側クネクターのＲＥＳＥＴに接続されている。
【００３０】
プリンター６からデータの供給を受けるクライアント側コネクター１９のＰ＿ＲＸＤは、第１ジャンパースイッチ２５（第１ジャンパーピンＰ１および第２ジャンパーピンＰ２）を介してホスト側コネクター１８のＨ＿ＴＸＤに接続されている。Ｈ＿ＴＸＤはＰＯＳ端末装置２にデータを送信するための信号線である。
【００３１】
プリンター６からの制御信号の供給を受けるクライアント側コネクター１９のＰ＿ＤＳＲは、第２ジャンパースイッチ２６（第１ジャンパーピンＰ１および第２ジャンパーピンＰ２）、表示部接続コネクター２０、表示部コネクター２１、レベルコンバーター２９を介してデータ制御部３０に接続されている。一方、ＰＯＳ端末装置２に制御信号を送信するためのホスト側コネクター１８のＨ＿ＤＴＲおよびＨ＿ＲＴＳは、表示部接続コネクター２０、表示部コネクター２１、レベルコンバーター２９を介してデータ制御部３０に接続されている。
【００３２】
ここで、表示装置４をスタンドアローン接続で用いる場合には、第１ジャンパースイッチ２５の第２ジャンパーピンＰ２と第３ジャンパーピンＰ３を短絡させ、第２ジャンパースイッチ２６の第２ジャンパーピンＰ２と第３ジャンパーピンＰ３を短絡させる。また、ディップスイッチ３４を操作して、データ制御部３０への設定信号入力線ＳＬの接地を解除する。
【００３３】
従って、切替えスイッチ３５の出力部３５ｄは、レベルコンバーター２９、表示部コネクター２１、表示部接続コネクター２０および第１ジャンパースイッチ２５を介してホスト側接続コネクターのＨ＿ＴＸＤに接続される。また、ＰＯＳ端末装置２から制御信号の供給を受けるホスト側コネクター１８のＨ＿ＤＳＲは、第２ジャンパースイッチ２６（第３ジャンパーピンＰ３および第２ジャンパーピンＰ２）、表示部接続コネクター２０、表示部コネクター２１およびレベルコンバーター２９を介してデータ制御部３０に接続される。
【００３４】
次に、データ制御部３０は、接続形態取得部４５、初期設定制御部４６、表示制御部４７、応答制御部４８を備える。
【００３５】
接続形態取得部４５は、設定信号入力線ＳＬからの入力に基づいて表示装置４の接続形態がスタンドアローン接続に設定されているか否かを取得する。すなわち、設定信号入力線ＳＬが接地されていない場合に、表示装置４の接続形態がスタンドアローン接続であることを取得する。
【００３６】
初期設定制御部４６は表示装置４の電源の投入時に初期設定動作を行う。図４は初期設定制御部４６が行う初期設定動作のフローチャートである。初期設定動作では、初期設定制御部４６は電源がオンとされた直後にＲＥＰＬＡＹにＨｉｇｈレベルの信号を出力して切替えスイッチ３５の第２入力部３５ｂと出力部３５ｄを接続した状態とする。すなわち、切替えスイッチ３５を応答モードとして表示装置４の制御回路８に第２回路４２を形成する（ステップＳＴ１）。また、初期設定制御部４６は、初期設定制御部４６が取得している表示装置４の接続形態を取得する（ステップＳＴ２）。
【００３７】
ここで、スタンドアローン接続が設定されておらずパススルー接続が選択されている場合には（ステップＳＴ３：Ｎｏ）、初期設定制御部４６はクライアント側コネクター１９のＰ＿ＤＳＲを介して表示装置４に入力されるプリンター６からの制御信号を確認する。これにより、プリンター６が印刷可能な状態（プリンターレディ）となっていることが確認できた場合には（ステップＳＴ４：Ｙｅｓ）、初期設定制御部４６はＭＰＵ＿ＴＸＤからプリンター６を動作させない第２機器選択コマンド（ＥＳＣ＝２）を出力して、当該第２機器選択コマンド（ＥＳＣ＝２）をプリンター６に送信する（ステップＳＴ５）。その後、初期設定制御部４６はＲＥＰＫＡＹにＬｏｗレベルの信号を出力して切替えスイッチ３５の第１入力部３５ａと出力部３５ｄを接続する。すなわち、切替えスイッチ３５を通常モードに設定して表示装置４の制御回路８に第１回路４１を形成する（ステップＳＴ６）。これにより、表示装置４はＰＯＳ端末装置２からのデータをホスト側コネクター１８のＨ＿ＲＸＤを介して受け入れ可能な待機状態となる（ステップＳＴ７）。
【００３８】
一方、ステップ３においてスタンドアローン接続が設定されている場合には（ステップＳＴ３：Ｙｅｓ）、初期設定制御部４６は切替えスイッチ３５を応答モードに維持する。これにより表示装置４はＰＯＳ端末装置２からのデータをホスト側コネクター１８のＨ＿ＲＸＤを介して受け入れ可能な待機状態となる（ステップＳＴ７）。
【００３９】
なお、初期設定動作を行う理由は以下のとおりである。まず、電源投入時における表示装置４の初期設定は第２機器選択コマンド（ＥＳＣ＝２）を受信した状態と同一の状態である。一方、電源投入時におけるプリンター６の初期設定は第１機器選択コマンド（ＥＳＣ＝１）を受信した状態と同一の状態である。これらは、既存の表示装置および既存のプリンターとの互換性を維持するための設定であるが、この状態では表示装置４とプリンター６で機器選択の設定が一致しておらず、ＰＯＳ端末装置２の側から会計データが供給されたときの表示装置４とプリンター６の動作を保証することができない。従って、本例では、電源投入時に初期設定動作を行って機器選択の設定の不一致状態を解消する。
【００４０】
表示制御部４７は、データ制御部３０に入力される会計データに第２コマンドまたは第３コマンドが含まれている場合に、表示器３１を駆動制御してこれらの会計データ（第２会計データおよび第３会計データ）を表示する。なお、表示制御部４７は、データ制御部３０に入力された会計データに第２コマンドまたは第３コマンドが含まれていない場合にはデータ処理を行わない。
【００４１】
応答制御部４８は、表示装置４の接続形態がスタンドアローン接続に設定されている場合であって、データ制御部３０にメモリー３２に記憶保持されている設定情報を取得する情報取得コマンドが入力された場合に動作する。応答制御部４８は、情報取得コマンドがデータ制御部３０に入力されると、メモリー３２から設定情報を取得して、ＭＵＰ＿ＴＸＤから出力する。ここで、スタンドアローン接続では、第１ジャンパースイッチ２５の第２ジャンパーピンおよび第３ジャンパーを短絡させているので、ＭＵＰ＿ＴＸＤに出力された設定情報はホスト側コネクター１８のＨ＿ＴＸＤを介してＰＯＳ端末装置２に送信される。なお、本例では、ＰＯＳ端末装置２から情報取得コマンドが送信される場合には、表示装置４の接続形態がスタンドアローン接続である場合に限定されている。
【００４２】
（会計処理動作）
ＰＯＳシステム１（ＰＯＳ端末装置２、表示装置４およびプリンター６）に電源が投入されると表示装置４は初期設定動作を行う。初期設定動作が終了すると表示装置４の切り替えスイッチは通常モードとなる。ここで、ＰＯＳ端末装置２によって会計処理が行われると、会計データが表示装置４の側に送信される。
【００４３】
ＰＯＳ端末装置２から送信された会計データは、ホスト側コネクター１８のＨ＿ＲＸＤ、表示部接続コネクター２０、表示部コネクター２１、レベルコンバーター２９、ＭＰＵ＿ＲＸＤを介してデータ制御部３０に入力される。また、ＰＯＳ端末装置２から送信された会計データは、データ制御部３０を経由せずにホスト側コネクター１８のＨ＿ＲＸＤとクライアント側接続コネクターのＰ＿ＴＸＤを接続した第１回路４１を介してプリンター６に転送される。
【００４４】
ここで、ＰＯＳ端末装置２から送信された会計データが第１コマンドを先頭に含む第１会計データである場合には、表示装置４のデータ制御部３０は第１会計データを処理しない。この一方で、第１回路４１を介して第１会計データを受信したプリンター６は当該第１会計データに基づいてレシートやクーポンを発行する。ＰＯＳ端末装置２から送信された会計データが第２コマンドを先頭に含む第２会計データである場合には、表示装置４のデータ制御部３０は第２会計データに基づいて表示器３１を駆動制御して当該第２会計データを表示する。この一方で、第１回路４１を介して第２会計データを受信したプリンター６は当該第２会計データを処理しない。また、ＰＯＳ端末装置２から送信された会計データが第３コマンドを含む第３会計データである場合には、表示装置４のデータ制御部３０は第３会計データに基づいて表示器３１を駆動制御して当該第３会計データを表示する。一方、第１回路４１を介して第３会計データを受信したプリンター６は当該第３会計データに基づいてレシートやクーポンを発行する。
【００４５】
なお、表示装置４がスタンドアローン接続で用いられている場合には、表示装置４はＰＯＳ端末装置２から送信された会計データが第２コマンドを先頭に含む第２会計データである場合に、表示装置４のデータ制御部３０は第２会計データに基づいて表示器３１を駆動制御して当該第２会計データを表示する。また、表示装置４がスタンドアローン接続で用いられているときに、ＰＯＳ端末装置２から表示装置４の側に情報取得コマンドが送信された場合には、この情報取得コマンドの供給を受けた表示装置４のデータ制御部３０はＭＵＰ＿ＴＸＤにメモリー３２に記憶保持されている設定情報を出力する。ＭＵＰ＿ＴＸＤに出力された設定情報は切り替えスイッチ（第２入力部３５ｂおよび出力部３５ｄ）、レベルコンバーター２９、表示部コネクター２１、表示部接続コネクター２０、第１ジャンパースイッチ２５（第３ジャンパーおよび第２ジャンパーピン）、および、ホスト側コネクター１８のＨ＿ＴＸＤを介してＰＯＳ端末装置２に送信される。
【００４６】
本例によれば、ＰＯＳ端末装置２からの会計データは、データ制御部３０への電力の供給状態に拘わらず、第１回路４１を介してプリンター６に供給される。従って、表示装置４のデータ制御部３０でＰＯＳ端末装置２からの会計データを解析してプリンター６に会計データを供給するデータ処理動作を行う必要がない。従って、表示装置４のデータ制御部３０におけるデータ処理を簡素化できる。また、本例では、会計データに機種選択コマンドが含まれており、表示装置４およびプリンター６は機種選択コマンドに従って動作する。よって、ＰＯＳ端末装置２からの会計データの全てが第１回路４１を介してプリンター６に供給される場合でも、ＰＯＳ端末装置２からの会計データよって表示装置４およびプリンター６を個別に駆動制御できる。
【００４７】
また、本例では、データ制御部３０に電力が供給されていない状態で切替えスイッチ３５は通常モードに設定されるので、表示装置４の制御回路８には、データ制御部３０を介さずに、ホスト側コネクター１８のＨ＿ＲＸＤとクライアント側接続コネクターのＰ＿ＴＸＤを接続する第１回路４１が形成されている。従って、データ制御部３０に電力が供給されていない状態においても、ＰＯＳ端末装置２からの会計データをプリンター６に供給できる。
【００４８】
さらに、本例では、インターフェース部１６の側の回路を変更することなく、表示装置４の制御回路８に第１回路４１を形成できる。また、本例では、表示装置４においてインターフェース部１６と表示部１７が着脱可能である。従って、既に、市場に流通しているインターフェース部１６を利用して、第１回路４１を備える表示装置４を構成できる。
【００４９】
（その他の実施の形態）
上記の例では、接続形態取得部４５は設定信号入力線ＳＬからの入力に基づいて表示装置４の接続形態を判別しているが、ＰＯＳ端末装置２からの接続形態を知らせるコマンドの供給を受け、このコマンドに基づいて接続形態を取得してもよい。
【００５０】
また、接続形態取得部４５は、初期設定制御部４６が初期設定動作で切替えスイッチを応答モードした後に、クライアント側コネクター１９のＰ＿ＤＳＲを介してデータ制御部３０に入力される制御信号（プリンターの印刷可能状態を知らせる制御信号）を受信できないことを検出し、これにより表示装置４の接続形態がスタンドアローン接続であることを取得してもよい。
【００５１】
さらに、インターフェース部１６における第１ジャンパースイッチ２５および第２ジャンパースイッチ２６におけるジャンパーピンの接続状態を表示部１７の接続形態取得部４５で識別するための回路を設けておき、接続形態取得部４５が当該回路からの出力に基づいて表示装置４の接続形態を取得してもよい。
【００５２】
また、上記の例では、表示装置４をＰＯＳ端末装置２とプリンター６とを接続する第３デバイスとして用いているが、プリンター６を第３デバイスとしてもよい。この場合には、プリンター６にホスト側コネクター１８およびクライアント側コネクター１９を備え、ホスト側コネクター１８にＰＯＳ端末装置２を接続し、クライアント側コネクター１９に表示装置４を接続する。このようにした場合にも、プリンター６の制御回路に、プリンター６の制御部を介さずにホスト側コネクター１８およびクライアント側コネクター１９を接続する第１回路４１を設ければ、プリンター６の制御部でＰＯＳ端末装置２からの会計データを解析して表示装置４に会計データを供給するデータ処理動作を行う必要がない。従って、プリンター６を第３デバイスとした場合でも、その制御部におけるデータ処理を簡素化できる。
【００５３】
なお、通信インターフェースとしてＵＳＢを用いる場合にも本発明を利用できる。この場合には、第３デバイスの制御回路にＵＳＢハブとＢＵＳハブの経路を切り替えるためのスイッチを搭載することにより、第３デバイスの制御部を介さずにホスト側コネクターとクライアント側コネクターを接続する第１回路を形成できる。
【符号の説明】
【００５４】
１・・ＰＯＳシステム（印刷システム）、２・・ＰＯＳ端末装置（第１デバイス）、３・・第１ケーブル、４・・表示装置（第３デバイス）、５・・第２ケーブル、６・・プリンター（第２デバイス）、８・・制御回路（第３デバイスの制御回路）、９・・記録紙、１０・・コンピューター、１１・・キーボード、１２・・バーコードスキャナー、１３・・ディスプレイ、１４・・キャッシュドロワー、１６・・インターフェース部、１７・・表示部、１８・・ホスト側コネクター、１９・・クライアント側コネクター、２０・・表示部接続コネクター、２１・・表示部コネクター、２５・・第１ジャンパースイッチ、２６・・第２ジャンパースイッチ、２９・・レベルコンバーター、３０・・データ制御部（データ処理部）、３１・・表示器、３２・・メモリー、３４・・ディップスイッチ、３５・・切替えスイッチ（切替回路）、３５ａ・・第１入力部、３５ｂ・・第２入力部、３５ｃ・・切替信号入力部、３５ｄ・・出力部、４１・・第１回路、４２・・第２回路、４５・・接続形態取得部、４６・・初期設定制御部、４７・・表示制御部、４８・・応答制御部、Ｐ１・・第１ジャンパーピン、Ｐ２・・第２ジャンパーピン、Ｐ３・・第３ジャンパーピン、Ｓ＿ＲＸＤ・・分岐信号線、ＳＬ・・設定信号入力線
【図１】
2016130937.tif 000003
【図２】
2016130937.tif 000004
【図３】
2016130937.tif 000005
【図４】
2016130937.tif 000006